(57)【要約】【課題】化粧プレートの固定枠からの脱落を抑制できる配線器具用プレートを提供する。【解決手段】配線器具用プレート４は、固定枠１０と金属製の化粧プレート２０とを備える。化粧プレート２０は、固定枠１０の枠側係止突起１５，１６（被係止部）にそれぞれ係止されるプレート側係止突起２５，２６（係止部）を有し、枠側係止突起１５，１６に対するプレート側係止突起２５，２６の係止によって固定枠１０に固定される。そして、化粧プレート２０には、プレート側係止突起２５，２６と枠側係止突起１５，１６との係止が外れたときに化粧プレート２０を保持する係止片２７（保持部）が設けられる。【選択図】図３
2017085864.tif 000002
【特許請求の範囲】
【請求項１】
配線器具を支持する取付け部材に固定される固定枠と、
前記固定枠の外周を囲う周壁と、前記固定枠の被係止部に係止される係止部とを有し、前記被係止部に対する前記係止部の係止によって前記固定枠に固定された金属製の化粧プレートと
を備えた配線器具用プレートであって、
前記化粧プレート及び前記固定枠の少なくとも一方には、前記係止部と前記被係止部との係止が外れたときに前記化粧プレートを保持する保持部が設けられていることを特徴とする配線器具用プレート。
【請求項２】
請求項１に記載の配線器具用プレートにおいて、
前記保持部は、前記化粧プレートの上端部における前記周壁から下側に延びる係止片を備え、
前記係止部が前記被係止部に係止された状態で、前記係止片が前記固定枠の上部に形成された開口に入り込んでいることを特徴とする配線器具用プレート。
【請求項３】
請求項１に記載の配線器具用プレートにおいて、
前記化粧プレートは、前記固定枠の正面側を覆い、前記配線器具を外部に露出させるための窓部が形成された板状のプレート本体部と、該プレート本体部の外周縁から延出された前記周壁の一部であって前記固定枠の上側及び下側をそれぞれ覆う上部周壁及び下部周壁とを備え、
前記保持部は、前記固定枠の下端部から前記下部周壁よりも下側位置まで下方に延出された第１延出部と、該第１延出部の下端から該第１延出部の延出方向と交差する方向に延出されて前記下部周壁の下側に位置する第２延出部とを有する保持片を備え、
前記係止部と前記被係止部との係止が外れたとき、前記化粧プレートの前記下部周壁が前記第２延出部と当接し、該当接部位を支点として前記化粧プレートが正面側に傾いた状態において、前記第２延出部が前記固定枠の下端部と協働して前記下部周壁を保持することを特徴とする配線器具用プレート。
【請求項４】
請求項１に記載の配線器具用プレートにおいて、
前記固定枠は上枠部及び下枠部を備え、前記上枠部及び前記下枠部の各々に前記被係止部が設けられ、
前記化粧プレートは、前記固定枠の正面側を覆い、前記配線器具を外部に露出させるための窓部が形成された板状のプレート本体部と、該プレート本体部の外周縁から延出された前記周壁の一部であって前記上枠部の上側及び前記下枠部の下側をそれぞれ覆う上部周壁及び下部周壁とを備え、前記被係止部に係止される前記係止部が前記上部周壁及び前記下部周壁の各々に設けられ、
前記保持部は、前記化粧プレートの前記上部周壁から下側に延び、前記固定枠の前記上枠部に形成された開口に挿入される係止片を備えていることを特徴とする配線器具用プレート。
【請求項５】
請求項４に記載の配線器具用プレートにおいて、
前記各係止部と前記各被係止部との係止により前記化粧プレートが前記固定枠に固定された状態において、前記開口の上端部から該開口に挿入された前記係止片の先端部までの長さが、前記上部周壁の前記係止部と前記上枠部の前記被係止部との上下方向における係止幅よりも大きく設定されていることを特徴とする配線器具用プレート。
【請求項６】
請求項１に記載の配線器具用プレートにおいて、
前記固定枠は上枠部及び下枠部を備え、前記上枠部及び前記下枠部の各々に前記被係止部が設けられ、
前記化粧プレートは、前記固定枠の正面側を覆い、前記配線器具を外部に露出させるための窓部が形成された板状のプレート本体部と、該プレート本体部の外周縁から延出された前記周壁の一部であって前記上枠部の上側及び前記下枠部の下側をそれぞれ覆う上部周壁及び下部周壁とを備え、前記被係止部に係止される前記係止部が前記上部周壁及び前記下部周壁の各々に設けられ、
前記保持部は、前記固定枠の前記下枠部から前記化粧プレートの前記下部周壁よりも下側位置まで下方に延出された第１延出部と、該第１延出部の下端から該第１延出部の延出方向と交差する方向に延出されて前記下部周壁の下側に位置する第２延出部とを有する保持片を備えていることを特徴とする配線器具用プレート。
【請求項７】
請求項６に記載の配線器具用プレートにおいて、
前記化粧プレートの前記下部周壁にはスリットが形成され、当該スリットに前記第１延出部が挿通されていることを特徴とする配線器具用プレート。
【請求項８】
請求項６又は７に記載の配線器具用プレートにおいて、
前記各係止部と前記各被係止部との係止により前記化粧プレートが前記固定枠に固定された状態において、前記下部周壁の下面と前記第２延出部の上面との間の上下方向のクリアランスの寸法が、前記下部周壁の前記係止部と前記下枠部の前記被係止部との上下方向における係止幅よりも小さく設定されていることを特徴とする配線器具用プレート。
【請求項９】
配線器具と、該配線器具を支持する取付け部材と、該取付け部材を覆う請求項１〜８のいずれか１項に記載の配線器具用プレートと、を備えたことを特徴とする配線装置。
【発明の詳細な説明】
【技術分野】
【０００１】
本発明は、埋込型の配線器具の施工に用いられる配線器具用プレート、及び該配線器具用プレートを用いた配線装置に関するものである。
【背景技術】
【０００２】
従来、例えば特許文献１に示すように、電線と接続されるコンセントやスイッチ等の配線器具は、壁や埋め込みボックス等の被取付け材に固定された取付け部材に取り付けられている。そして、その取付け部材は、外観性の向上のため、正面側が金属製の化粧プレートによって覆われている。この化粧プレートは、取付け部材に例えば、ねじによって固定された固定枠に対して、該固定枠と化粧プレートとにそれぞれ突設された係止部の係止によって固定されている。このように、固定枠と化粧プレートとの固定を弾性的な係止固定とすることで、ねじ止め固定とする場合等と比較して外観性の向上に寄与できる。
【先行技術文献】
【特許文献】
【０００３】
【特許文献１】特開平１１−２１５６３７号公報
【発明の概要】
【発明が解決しようとする課題】
【０００４】
しかしながら、上記の配線器具用プレートでは、化粧プレートを取り外す作業以外に、設計上想定外の外的な衝撃を受けたとき、固定枠と化粧プレートの各係止部の係止が外れて、化粧プレートが固定枠から脱落してしまう場合がある。このとき、配線器具がコンセントであり、該コンセントに差込プラグが十分に差し込まれておらず、差込プラグの端子の一部がコンセントから露出している場合には、金属製の化粧プレートが脱落したときに、コンセントから露出する差込プラグの一対の端子に当該金属製の化粧プレートが接触して該端子間を短絡してしまうおそれがある。従って、差込プラグの端子間短絡のおそれがある金属製化粧プレートの脱落が特に問題となる。
【０００５】
本発明は、上記課題を解決するためになされたものであって、その目的は、化粧プレートの固定枠からの脱落を抑制できる配線器具用プレート及び配線装置を提供することにある。
【課題を解決するための手段】
【０００６】
上記課題を解決する配線器具用プレートは、配線器具を支持する取付け部材に固定される固定枠と、前記固定枠の外周を囲う周壁と、前記固定枠の被係止部に係止される係止部とを有し、前記被係止部に対する前記係止部の係止によって前記固定枠に固定された金属製の化粧プレートとを備えた配線器具用プレートであって、前記化粧プレート及び前記固定枠の少なくとも一方には、前記係止部と前記被係止部との係止が外れたときに前記化粧プレートを保持する保持部が設けられている。
【発明の効果】
【０００７】
本発明の配線器具用プレート及び配線装置によれば、化粧プレートの固定枠からの脱落を抑制できる。
【図面の簡単な説明】
【０００８】
【図１】第１実施形態の配線装置の分解斜視図である。
【図２】同形態の配線器具用プレートを示す図であって、（ａ）は上面図であり、（ｂ）は正面図であり、（ｃ）は下面図である。
【図３】図２（ｂ）におけるＡ−Ａ線断面図である。
【図４】第２実施形態の配線器具用プレートを示す図であって、（ａ）は正面図であり、（ｂ）は下面図である。
【図５】図４（ａ）におけるＢ−Ｂ線断面図であって、（ａ）は、化粧プレートが固定枠に固定された状態（各係止突起の係止状態）を示す断面図であり、（ｂ）は、係止突起の係止が外れた状態を示す断面図である。
【図６】第１参考例の配線器具用プレートの分解斜視図である。
【図７】第２参考例の配線器具用プレートを示す図であって、（ａ）は上面図であり、（ｂ）は正面図であり、（ｃ）は下面図である。
【図８】同例において、化粧プレートと固定枠とが上下逆さまに取り付けられた状態を示す平面図である。
【図９】（ａ）は、第３参考例の化粧プレートを正面側から見た斜視図であり、（ｂ）は、同例の化粧プレートを背面側から見た斜視図である。
【図１０】同例の化粧プレートの断面図である。
【図１１】別例の化粧プレートを背面側から見た斜視図である。
【図１２】別例の化粧プレートを背面側から見た斜視図である。
【発明を実施するための形態】
【０００９】
（第１実施形態）
以下、配線器具用プレート及びこれを用いた配線装置の第１実施形態について、図１〜図３に従って説明する。
【００１０】
図１に示すように、壁や埋め込みボックス等の被取付け材１（造営材等）に固定された取付け部材２には、電線と接続される配線器具としてのコンセント３が取り付けられており、該取付け部材２は、外観性の向上のため、正面側が配線器具用プレート４によって覆われている。コンセント３、取付け部材２及び配線器具用プレート４は配線装置Ｄを構成している。
【００１１】
図１及び図２（ａ）〜（ｃ）に示すように、配線器具用プレート４は、それぞれ金属製の固定枠１０及び化粧プレート２０を備えている。固定枠１０は取付け部材２にねじ止め固定され、化粧プレート２０は固定枠１０に対して弾性的に係止固定される。なお、配線器具用プレート４（固定枠１０及び化粧プレート２０）は、幅方向Ｘの中心（以下、単に中心線Ｌと言う）に対して左右対称形状をなす。また、以下の説明では、配線器具用プレート４の幅方向をＸ、厚み方向をＹ、上下方向をＺとし、それら幅方向Ｘ、厚み方向Ｙ及び上下方向Ｚは互いに直交する方向とする。配線器具用プレート４は、その厚み方向Ｙが被取付け材１の表面（施工面）に対して垂直となるように組み付けられる。
【００１２】
［固定枠１０］
固定枠１０は、金属板材からプレス加工によって成形されるものである。固定枠１０は、取付け部材２への取付け状態においてコンセント３の周囲を囲う正面構成部１１を有している。正面構成部１１は、配線器具用プレート４の上下方向Ｚに長い略矩形状をなす。また、正面構成部１１は、固定枠１０の前記取付け状態において被取付け材１の表面に対して平行をなす。そして、固定枠１０は、正面構成部１１の長辺部位が鉛直方向に沿うように（つまり、正面構成部１１の各短辺部位が鉛直上下に位置するように）取付け部材２に固定される。なお、正面構成部１１には、固定枠１０を取付け部材２に締結固定するためのねじ（図示略）が挿通されるねじ挿通孔１１ａが形成されている。
【００１３】
固定枠１０は、正面構成部１１の上端部（前記短辺部位）から該正面構成部１１に対して垂直（厚み方向Ｙ）に突出する上側周壁部１２と、正面構成部１１の下端部（前記短辺部位）から該正面構成部１１に対して垂直に突出する下側周壁部１３とを有している。また、固定枠１０は、正面構成部１１の幅方向Ｘの両端部（各長辺部位）からそれぞれ該正面構成部１１に対して垂直に突出する側部周壁部１４を有している。なお、正面構成部１１の上側の前記短辺部位と上側周壁部１２とが固定枠１０の上枠部１０ｕを構成し、正面構成部１１の下側の前記短辺部位と下側周壁部１３とが固定枠１０の下枠部１０ｄを構成している。
【００１４】
図２（ａ）〜（ｃ）及び図３に示すように、上側周壁部１２には、上方に突出する一対の枠側係止突起１５が形成され、下側周壁部１３には、下方に突出する一対の枠側係止突起１６が形成されている。なお、以下の説明では、上側周壁部１２に形成された枠側係止突起１５を単に上部の枠側係止突起１５と言い、下側周壁部１３に形成された枠側係止突起１６を単に下部の枠側係止突起１６と言う場合がある。
【００１５】
各枠側係止突起１５，１６は、例えば打ち出し加工などにより突設されている。上部の各枠側係止突起１５は、前記中心線Ｌに対して左右対称位置に形成されている。また、下部の各枠側係止突起１６も同様に、中心線Ｌに対して左右対称位置に形成されている。また、各枠側係止突起１５，１６の幅方向Ｘにおける長さは等しく形成されている。更に、中心線Ｌから上部の各枠側係止突起１５までの間隔は、中心線Ｌから下部の各枠側係止突起１６までの間隔よりも広く設定されている。
【００１６】
図２（ａ）及び図３に示すように、上側周壁部１２の幅方向Ｘの中央部には、正面構成部１１側に向かって厚み方向Ｙに窪む矩形状の挿入凹部１７（開口）が切り欠き形成されている。挿入凹部１７は、幅方向Ｘにおいて上部の各枠側係止突起１５の間に形成されている。
【００１７】
また、図２（ｃ）及び図３に示すように、下側周壁部１３の幅方向Ｘの中央部には、該下側周壁部１３の厚み方向Ｙの先端縁から下方に突出する突出片１８が形成されている。突出片１８は、幅方向Ｘにおいて、各枠側係止突起１６の間に位置している。この突出片１８は、固定枠１０を取付け部材２に取り付けた状態において、被取付け材１の表面（施工面）に対して平行となる。
【００１８】
［化粧プレート２０］
図１及び図２（ａ）〜（ｃ）に示すように、化粧プレート２０は、金属板材（導電性材料）からプレス加工によって成形され、固定枠１０に対応する矩形状（つまり、取付け状態において鉛直上下に長い矩形状）をなす。化粧プレート２０は、固定枠１０への取付け状態において該固定枠１０の正面構成部１１と平行をなす正面構成部２１（プレート本体部）を有している。化粧プレート２０の正面構成部２１には、配線器具用プレート４を取付け部材２に取り付けた状態において、コンセント３を露出させるための窓部２１ａが形成されている。
【００１９】
また、化粧プレート２０は、正面構成部２１の周縁部全体から該正面構成部２１と垂直な方向（厚み方向Ｙ背面側）に突出する周壁Ｗを有する。この周壁Ｗにおいて、正面構成部２１の上端部から突出する部分を上部周壁２２とし、正面構成部２１の下端部から突出する部分を下部周壁２３とし、正面構成部２１の幅方向Ｘの両端部からそれぞれ突出する部位を側部周壁２４とする。
【００２０】
化粧プレート２０は、固定枠１０よりもややサイズが大きく設定されており、互いの取付け状態では、化粧プレート２０の周壁Ｗの内側に固定枠１０が嵌め込まれるようになっている。換言すれば、化粧プレート２０の周壁Ｗによって固定枠１０の外周が囲われるようになっている。即ち、化粧プレート２０の上部周壁２２及び下部周壁２３は、固定枠１０の上側周壁部１２及び下側周壁部１３と上下方向Ｚにそれぞれ対向し、化粧プレート２０の各側部周壁２４は、固定枠１０の各側部周壁部１４と幅方向Ｘにそれぞれ対向する。
【００２１】
図３に示すように、化粧プレート２０の上部周壁２２の内側面（下面）には、下方に突出する一対のプレート側係止突起２５が、前記上部の枠側係止突起１５に対応する位置に形成されている。また、化粧プレート２０の下部周壁２３の内側面（上面）には、上方に突出する一対のプレート側係止突起２６が、前記下部の枠側係止突起１６に対応する位置に形成されている。なお、以下の説明では、上部周壁２２に形成されたプレート側係止突起２５を単に上部のプレート側係止突起２５と言い、下部周壁２３に形成されたプレート側係止突起２６を単に下部のプレート側係止突起２６と言う場合がある。
【００２２】
また、各プレート側係止突起２５，２６の形成位置は、各枠側係止突起１５，１６と同様に設定されている。つまり、上部の各プレート側係止突起２５及び下部の各プレート側係止突起２６はそれぞれ、中心線Ｌに対して左右対称位置に形成されている。また、中心線Ｌから各プレート側係止突起２５までの間隔は、中心線Ｌから各プレート側係止突起２６までの間隔よりも広く設定されている。なお、各プレート側係止突起２５，２６は、上部周壁２２及び下部周壁２３に対する例えば打ち出し加工などにより突設されるものである。従って、各プレート側係止突起２５，２６の裏側（上部周壁２２の上面側及び下部周壁２３の下面側）は凹形状をなしている（図２（ａ），（ｃ）参照）。
【００２３】
図２（ａ）及び図３に示すように、化粧プレート２０の上部周壁２２における幅方向Ｘの中央部には、下方に突出する係止片２７が屈曲形成されている。係止片２７は、幅方向Ｘにおいて上部の各プレート側係止突起２５の間に形成されている。また、係止片２７は、化粧プレート２０の正面構成部２１の裏面と厚み方向Ｙに対向するように形成されている。
【００２４】
また、図２（ｃ）及び図３に示すように、化粧プレート２０の下部周壁２３における幅方向Ｘの中央部には、正面構成部１１側に向かって厚み方向Ｙに窪む矩形状の凹部２８が切り欠き形成されている。
【００２５】
上記構成の固定枠１０と化粧プレート２０では、図３に示すように、上部の枠側係止突起１５とプレート側係止突起２５とが、また、下部の枠側係止突起１６とプレート側係止突起２６とが、それぞれ厚み方向Ｙに係止される。これにより、化粧プレート２０が固定枠１０に固定される。この取付け状態において、化粧プレート２０の係止片２７は、固定枠１０の挿入凹部１７内に上下方向Ｚに挿入されているが、挿入凹部１７に対して厚み方向Ｙに接触しておらず、係止片２７と挿入凹部１７との間には、厚み方向ＹにおいてクリアランスＣが設定されている。また、係止片２７の挿入凹部１７に対する下方への挿入長さＤ１、即ち、挿入凹部１７の上端部（上側周壁部１２の上面）から係止片２７の先端部（下端部）までの長さは、プレート側係止突起２５と枠側係止突起１５との上下方向Ｚにおける係止幅Ｄ２（プレート側係止突起２５と枠側係止突起１５との上下方向Ｚにおける重複幅（オーバーラップ幅））よりも大きく構成されている。
【００２６】
また、図２（ｃ）に示すように、固定枠１０と化粧プレート２０との取付け状態において、固定枠１０の突出片１８と化粧プレート２０の凹部２８とは、幅方向Ｘにおいて同位置に配置される。なお、本実施形態では、固定枠１０の突出片１８は、化粧プレート２０の凹部２８内に位置し、突出片１８の先端面（下端面）が化粧プレート２０の下部周壁２３の外側面（下面）とほぼ面一となるように構成されている（図３参照）。
【００２７】
固定枠１０に化粧プレート２０を取り付ける際には、まず、化粧プレート２０の係止片２７を固定枠１０の挿入凹部１７に挿入し、次に、上部のプレート側係止突起２５と枠側係止突起１５とを係止させる。その後、下部のプレート側係止突起２６が枠側係止突起１６を乗り越える位置まで、化粧プレート２０の下部を固定枠１０に対して厚み方向Ｙに押し込むことによって、プレート側係止突起２６が枠側係止突起１６に係止される。これにより、化粧プレート２０が固定枠１０に弾性的に固定される。
【００２８】
一方、化粧プレート２０を固定枠１０から取り外す際には、化粧プレート２０の凹部２８に例えばマイナスドライバ等の治具を差し込み、該治具によって化粧プレート２０を固定枠１０から離す方向（厚み方向Ｙ正面側）への力を作用させる。すると、下部のプレート側係止突起２６が枠側係止突起１６を乗り越えてそれらの係止が外れ、化粧プレート２０を固定枠１０から取り外すことが可能となる。ここで、化粧プレート２０の凹部２８に対応する位置には、固定枠１０の前記突出片１８が設けられており、凹部２８に差し込まれた前記治具が突出片１８に当接可能に構成されている。これにより、凹部２８に差し込んだ治具が被取付け材１の表面（施工面）に直接接触することが防止されている。従って、化粧プレート２０を固定枠１０から取り外す際に、治具によって被取付け材１の表面に傷が付くことが抑制されている。
【００２９】
なお、本実施形態では、化粧プレート２０を固定枠１０に対して上下方向Ｚの向きを逆さまにして取り付けようとした場合、下側において係止片２７が固定枠１０の下側周壁部１３や突出片１８と干渉するため、化粧プレート２０を固定枠１０に対して取り付けることができない構成となっている。
【００３０】
次に、本実施形態の作用について図３を参照して説明する。
固定枠１０に取り付けられた化粧プレート２０に外力が加わり、下部の各プレート側係止突起２６が各枠側係止突起１６から外れた場合、即ち、化粧プレート２０の下側部分が固定枠１０から外れた場合を考える。このとき、化粧プレート２０の係止片２７が固定枠１０の挿入凹部１７に引っ掛かることで、化粧プレート２０が固定枠１０から落下しない状態が維持される。
【００３１】
また、前述のように、固定枠１０に対する化粧プレート２０の取付け状態において、係止片２７の挿入凹部１７に対する挿入長さＤ１が、上部のプレート側係止突起２５及び枠側係止突起１５の前記係止幅Ｄ２よりも大きくなるように構成されている。このため、化粧プレート２０の下側部分が固定枠１０から外れたときに、化粧プレート２０が上方に浮き上がって上部のプレート側係止突起２５が枠側係止突起１５に乗り上げた場合（上部のプレート側係止突起２５と枠側係止突起１５との係止が外れた場合）であっても、挿入凹部１７に対する係止片２７の挿入状態（挿入凹部１７に対して引っ掛かった状態）が維持される。これにより、化粧プレート２０が固定枠１０から外れて落下することがより一層抑制されるようになっている。
【００３２】
なお、化粧プレート２０の下側部分が固定枠１０から外れていない状態（下部のプレート側係止突起２６と枠側係止突起１６とが係止された状態）で、化粧プレート２０の上側部位を外す方向への外力（厚み方向Ｙに沿う外力）が加わったときには、上部のプレート側係止突起２５と枠側係止突起１５との係止が外れる前に化粧プレート２０の係止片２７が固定枠１０の挿入凹部１７（厚み方向Ｙ）に当接する。このため、上部のプレート側係止突起２５と枠側係止突起１５との係止が外れにくくなっている。これは、上部のプレート側係止突起２５と枠側係止突起１５との係止が外れる前に係止片２７を挿入凹部１７に当接させるべく、前記クリアランスＣの大きさが設定されているためである。
【００３３】
次に、本実施形態の特徴的な効果を記載する。
（１）化粧プレート２０には、化粧プレート２０の上端部における周壁Ｗから下方に延出され、化粧プレート２０が固定枠１０から離間する方向（厚み方向Ｙ）において該固定枠１０と係止可能に構成された係止片２７（保持部）が設けられる。そして、各プレート側係止突起２５，２６が各枠側係止突起１５，１６に係止された状態で、係止片２７は、固定枠１０の上側周壁部１２に形成された挿入凹部１７（開口）に入り込んでいる。このため、プレート側係止突起２５，２６のうち少なくとも下部のプレート側係止突起２６の枠側係止突起１６に対する係止が外れたときに、係止片２７が挿入凹部１７に引っ掛かることで化粧プレート２０が固定枠１０から落下しないように保持される。つまり、化粧プレート２０に上方の力が加わって、固定枠１０の挿入凹部１７から係止片２７が外れない限り、当該係止片２７によって化粧プレート２０の落下が抑制される。このため、固定枠１０から脱落した金属製の化粧プレート２０が、コンセント３に端子が一部露出した状態で差し込まれている当該差込プラグの端子間を短絡してしまうことを抑制できる。
【００３４】
（２）プレート側係止突起２５，２６と枠側係止突起１５，１６との係止によって化粧プレート２０が固定枠１０に固定された状態において、挿入凹部１７の上端部から該挿入凹部１７に挿入された係止片２７の先端部（下端部）までの挿入長さＤ１が、上部のプレート側係止突起２５と枠側係止突起１５との上下方向Ｚにおける係止幅Ｄ２よりも大きく設定される。これにより、化粧プレート２０の下側部分が固定枠１０から外れた状態で、上部のプレート側係止突起２５が枠側係止突起１５に乗り上げた場合であっても、挿入凹部１７に対する係止片２７の挿入状態（挿入凹部１７に対して引っ掛かった状態）が維持される。従って、化粧プレート２０の固定枠１０からの落下をより一層抑制できる。
【００３５】
（３）係止片２７は、固定枠１０の挿入凹部１７に対して上下方向Ｚに挿入され、該挿入凹部１７に対して幅方向Ｘに当接可能に構成される。この構成によれば、化粧プレート２０が係止片２７にて固定枠１０に引っ掛かっている状態において、係止片２７と固定枠１０との幅方向Ｘへの当接によって化粧プレート２０の幅方向Ｘへの移動が規制される。このため、化粧プレート２０の固定枠１０からの脱落をより好適に抑制できる。
【００３６】
（第２実施形態）
以下、配線器具用プレート及び配線装置の第２実施形態について、図４及び図５に従って説明する。本実施形態は、上記第１実施形態に対して、プレート側係止突起２５，２６と枠側係止突起１５，１６との係止が外れたときに化粧プレート２０を保持する保持部（係止片２７）に関する構成のみが異なる。このため、以下では、上記第１実施形態と同一の構成については同一の符号を付してその詳細な説明を省略し、相異する部分について詳細に説明する。
【００３７】
本実施形態の化粧プレート２０ａでは、上部周壁２２から上記第１実施形態における係止片２７が省略され、それに合わせて本実施形態の固定枠１０ａでは、上側周壁部１２から上記第１実施形態における挿入凹部１７が省略されている。
【００３８】
図４（ａ），（ｂ）及び図５（ａ）に示すように、固定枠１０ａの下側周壁部１３には、一対の保持片３１が形成されている。なお、本実施形態では、保持片３１は、下側周壁部１３の幅方向Ｘの両端部にそれぞれ設けられている。各保持片３１は、下側周壁部１３から下方に延びる下方延出部３１ａと、該下方延出部３１ａの先端部（下端部）から幅方向Ｘ外側に延びる幅方向延出部３１ｂとを備えている。幅方向延出部３１ｂは、下方延出部３１ａの下端部が幅方向Ｘ外側に向けて直角に屈曲されることで形成される。幅方向延出部３１ｂは、固定枠１０ａの正面構成部１１に対して垂直をなす。つまり、固定枠１０ａが取付け部材２に固定された状態において、幅方向延出部３１ｂは水平方向と平行をなす。なお、幅方向延出部３１ｂの厚み方向Ｙの長さは、化粧プレート２０ａの下部周壁２３の厚み方向Ｙの長さの半分以上に設定されることが好ましい。
【００３９】
一方、化粧プレート２０ａの下部周壁２３には、該下部周壁２３の先端面（背面側端面）から正面構成部２１側に向けて厚み方向Ｙに沿って延びる一対のスリット３２が、各保持片３１と対応する位置に形成されている（図４（ｂ）参照）。
【００４０】
固定枠１０ａと化粧プレート２０ａとの取付け状態（各枠側係止突起１５，１６と各プレート側係止突起２５，２６との係止状態）において、化粧プレート２０ａの各スリット３２には、固定枠１０ａの各保持片３１の下方延出部３１ａが挿通されている。そして、各保持片３１の幅方向延出部３１ｂは、化粧プレート２０ａの下部周壁２３の外側面（下面）に対して、上下方向Ｚに当接、又は、上下方向Ｚにおいて僅かなクリアランスを空けて対向する。
【００４１】
なお、本実施形態では、プレート側係止突起２５，２６と枠側係止突起１５，１６との係止によって化粧プレート２０ａが固定枠１０ａに固定された状態において、下部周壁２３の下面と幅方向延出部３１ｂの上面との間に上下方向ＺのクリアランスＣ１が設けられている。そして、その上下方向ＺのクリアランスＣ１の寸法Ｄ３（最大寸法）は、下部のプレート側係止突起２６と枠側係止突起１６との上下方向Ｚにおける係止幅Ｄ４（プレート側係止突起２６と枠側係止突起１６との上下方向Ｚにおける重複幅（オーバーラップ幅））よりも小さく設定されている。
【００４２】
次に、本実施形態の作用について説明する。
固定枠１０ａに取り付けられた化粧プレート２０ａに外力が加わり、上部の各プレート側係止突起２５が各枠側係止突起１５から外れた場合、即ち、化粧プレート２０ａの上側部分が固定枠１０ａから外れた場合を考える。このとき、図５（ｂ）に示すように、化粧プレート２０ａの下部周壁２３が保持片３１の幅方向延出部３１ｂと上下方向Ｚに当接し、該幅方向延出部３１ｂの正面側（前方）の端部３１ｃを支点として化粧プレート２０ａが正面側に倒れるように回動する（傾く）。そして、当該化粧プレート２０ａの下部周壁２３が幅方向延出部３１ｂの端部３１ｃと当接し、かつ、プレート側係止突起２６が枠側係止突起１６に引っ掛かった状態で、化粧プレート２０ａが固定枠１０ａに保持される。つまり、上側部分が固定枠１０ａから外れた状態の化粧プレート２０ａの下部周壁２３を、固定枠１０ａの下側周壁部１３（本実施形態では枠側係止突起１６）と保持片３１の幅方向延出部３１ｂとが協働して保持する。このため、化粧プレート２０ａが固定枠１０ａから落下しない状態が維持されるようになっている。
【００４３】
次に、本実施形態の特徴的な効果を記載する。
（４）上部のプレート側係止突起２５と枠側係止突起１５との係止が外れたときに、固定枠１０ａの下端部（下側周壁部１３）に設けられた保持片３１の幅方向延出部３１ｂが、化粧プレート２０ａの下端面（下部周壁２３）と当接するように構成される。そして、化粧プレート２０ａが幅方向延出部３１ｂとの当接部位（本実施形態では端部３１ｃ）を支点として正面側に傾いた状態において、幅方向延出部３１ｂが固定枠１０ａの下端部（本実施形態では枠側係止突起１６）と協働して下部周壁２３を保持する。これにより、化粧プレート２０ａが固定枠１０ａから落下しない状態を維持できる。その結果、固定枠１０ａから脱落した金属製の化粧プレート２０ａが、コンセント３に端子が一部露出した状態で差し込まれている当該差込プラグの端子間を短絡してしまうことを抑制できる。
【００４４】
また、本実施形態では、固定枠１０ａの保持片３１が化粧プレート２０ａの外部に延びて露出される構成となるが、保持片３１が化粧プレート２０ａの下部周壁２３の下側（つまり、外部から目立たない箇所）に位置するため、外観性の悪化を抑制できる。
【００４５】
（５）保持片３１の下方延出部３１ａは、化粧プレート２０ａのスリット３２に上下方向Ｚに挿通されることで、保持片３１の下方延出部３１ａがスリット３２の内面に対して幅方向Ｘに当接可能に構成される。この構成によれば、化粧プレート２０ａが保持片３１のみで固定枠１０ａに保持されている状態において、保持片３１と化粧プレート２０ａの下部周壁２３との幅方向Ｘへの当接によって化粧プレート２０ａの幅方向Ｘへの移動が規制される。このため、化粧プレート２０ａの固定枠１０ａからの脱落をより好適に抑制できる。
【００４６】
（６）プレート側係止突起２５，２６と枠側係止突起１５，１６との係止によって化粧プレート２０ａが固定枠１０ａに固定された状態において、下部周壁２３の下面と幅方向延出部３１ｂの上面との間に上下方向ＺのクリアランスＣ１が設けられる。そして、当該クリアランスＣ１の上下方向Ｚの寸法Ｄ３が、下部のプレート側係止突起２６と枠側係止突起１６との上下方向Ｚにおける係止幅Ｄ４よりも小さく設定される。このため、化粧プレート２０ａの上側部分が固定枠１０ａから外れて、化粧プレート２０ａの下部周壁２３が保持片３１の幅方向延出部３１ｂに当接する状態で、プレート側係止突起２６が枠側係止突起１６に対して引っ掛かるように構成できる。そして、このプレート側係止突起２６の枠側係止突起１６に対する引っ掛かりによって、化粧プレート２０ａの下部周壁２３が、固定枠１０ａの下側周壁部１３と保持片３１の幅方向延出部３１ｂとの間から抜けにくくなる。これにより、化粧プレート２０ａを固定枠１０ａに対してより確実に保持させることができ、その結果、化粧プレート２０ａの固定枠１０ａからの落下をより一層抑制できる。
【００４７】
なお、上記各実施形態は、以下のように変更してもよい。
・係止片２７の形成位置は、上記第１実施形態に限定されるものではなく、例えば、化粧プレート２０の各側部周壁２４に設けてもよい。この場合、プレート側係止突起２５，２６と枠側係止突起１５，１６との係止が外れたときに、化粧プレート２０の各側部周壁２４に設けた係止片が、固定枠１０の各側部周壁部１４に形成した切り欠き部に係止するように構成することが好ましい。
【００４８】
・上記第１実施形態では、プレート側係止突起２５と枠側係止突起１５とが係止される状態で、係止片２７と挿入凹部１７との間に厚み方向ＹにおけるクリアランスＣが生じるように構成された。しかしながら、これに特に限定されるものではなく、プレート側係止突起２５と枠側係止突起１５とが係止される状態で、係止片２７と挿入凹部１７とが厚み方向Ｙに当接するように構成してもよい。
【００４９】
・係止片２７が係止される固定枠１０側の構成（被係止部の構成）は、上記第１実施形態に限定されるものではなく、構成に応じて適宜変更してもよい。
・保持片３１の形成位置は、上記第２実施形態に限定されるものではなく、例えば、固定枠１０ａの各側部周壁部１４に設けてもよい。この場合、化粧プレート２０ａの各側部周壁２４に厚み方向Ｙに延びるスリットを設け、該スリットに固定枠１０ａの保持片が挿通される構成とすることが好ましい。
【００５０】
・上記第２実施形態では、下部周壁２３及び幅方向延出部３１ｂ間の前記クリアランスＣ１の寸法Ｄ３を、下部のプレート側係止突起２６及び枠側係止突起１６の係止幅Ｄ４よりも小さく設定したが、当該寸法Ｄ３を係止幅Ｄ４よりも大きく設定してもよい。このように設定した場合、前述のように化粧プレート２０ａの上側部分が外れて正面側に回動した（傾いた）とき、プレート側係止突起２６が枠側係止突起１６に当接しない（引っ掛からない）場合がある。つまり、上部と下部の双方においてプレート側係止突起２５，２６の枠側係止突起１５，１６に対する係止が外れる場合がある。しかしながら、この場合であっても、固定枠１０ａの下側周壁部１３と保持片３１の幅方向延出部３１ｂとによって、化粧プレート２０ａの下部周壁２３を協働して保持（挟持）させることが可能である。
【００５１】
・上記第２実施形態では、固定枠１０ａに対する化粧プレート２０ａの取付け状態において、下部周壁２３と幅方向延出部３１ｂとの間に上下方向ＺのクリアランスＣ１を設けた。しかしながら、これ以外に例えば、下部周壁２３と幅方向延出部３１ｂとが上下方向Ｚにおいてクリアランス無く当接するように構成してもよい。
【００５２】
・保持片３１の形状等の構成は上記第２実施形態に限定されるものではなく、適宜変更可能である。例えば、上記第２実施形態では、幅方向延出部３１ｂが下方延出部３１ａに対して直交する方向（幅方向Ｘ）に延出されているが、これに限らず、幅方向延出部３１ｂの延出方向は下方延出部３１ａの延出方向と交差する方向であれば適宜変更可能である。
【００５３】
・上記第２実施形態では、保持片３１（下方延出部３１ａ）がスリット３２に挿通される構成とした。しかしながら、これに特に限定されるものではなく、プレート側係止突起２５，２６のうち少なくとも上部のプレート側係止突起２５の枠側係止突起１５に対する係止が外れた状態で、固定枠１０ａの保持片３１が化粧プレート２０ａと当接する構成であれば、上記第２実施形態以外の構成としてもよい。
【００５４】
・上記各実施形態における枠側係止突起１５，１６の形成位置（各枠側係止突起１５同士の間隔、及び各枠側係止突起１６同士の間隔）や、枠側係止突起１５，１６の形状（特に幅方向Ｘにおける長さ）は一例であって、適宜変更されてもよいものである。また、プレート側係止突起２５，２６の形成位置や形状等の構成においても同様に一例であって、適宜変更されてもよいものである。従って、例えば、各枠側係止突起１５（各プレート側係止突起２５）と各枠側係止突起１６（各プレート側係止突起２６）とが上下対称の関係となるように構成してもよい。
【００５５】
・上記の各実施形態及び各変形例は適宜組み合わせてもよい。
次に、上記各実施形態から把握できる技術的思想を以下に追記する。
（付記１）
配線器具（３）を支持する取付け部材（２）に固定される固定枠（１０，１０ａ）と、
前記固定枠（１０，１０ａ）の外周を囲う周壁（Ｗ）と、前記固定枠（１０，１０ａ）の被係止部（１５，１６）に係止される係止部（２５，２６）とを有し、前記被係止部（１５，１６）に対する前記係止部（２５，２６）の係止によって前記固定枠（１０，１０ａ）に固定された金属製の化粧プレート（２０，２０ａ）と
を備えた配線器具用プレートであって、
前記化粧プレート（２０，２０ａ）及び前記固定枠（１０，１０ａ）の少なくとも一方には、前記係止部（２５，２６）と前記被係止部（１５，１６）との係止が外れたときに前記化粧プレート（２０，２０ａ）を保持する保持部（２７，３１）が設けられていることを特徴とする配線器具用プレート。
【００５６】
（付記２）
付記１に記載の配線器具用プレートにおいて、
前記保持部は、前記化粧プレート（２０）の上端部における前記周壁（Ｗ）から下側に延びる係止片（２７）を備え、
前記係止部（２５，２６）が前記被係止部（１５，１６）に係止された状態で、前記係止片（２７）が前記固定枠（１０）の上部に形成された開口（１７）に入り込んでいることを特徴とする配線器具用プレート。
【００５７】
（付記３）
付記１に記載の配線器具用プレートにおいて、
前記化粧プレート（２０ａ）は、前記固定枠（１０ａ）の正面側を覆い、前記配線器具（３）を外部に露出させるための窓部（２１ａ）が形成された板状のプレート本体部（２１）と、該プレート本体部（２１）の外周縁から延出された前記周壁（Ｗ）の一部であって前記固定枠（１０ａ）の上側及び下側をそれぞれ覆う上部周壁（２２）及び下部周壁（２３）とを備え、
前記保持部は、前記固定枠（１０ａ）の下端部から前記下部周壁（２３）よりも下側位置まで下方に延出された第１延出部（３１ａ）と、該第１延出部（３１ａ）の下端から該第１延出部（３１ａ）の延出方向（Ｚ）と交差する方向（Ｘ）に延出されて前記下部周壁（２３）の下側に位置する第２延出部（３１ｂ）とを有する保持片（３１）を備え、
前記係止部（２５，２６）と前記被係止部（１５，１６）との係止が外れたとき、前記化粧プレート（２０ａ）の前記下部周壁（２３）が前記第２延出部（３１ｂ）と当接し、該当接部位を支点として前記化粧プレート（２０ａ）が正面側に傾いた状態において、前記第２延出部（３１ｂ）が前記固定枠（１０ａ）の下端部と協働して前記下部周壁（２３）を保持することを特徴とする配線器具用プレート。
【００５８】
（付記４）
付記１に記載の配線器具用プレートにおいて、
前記固定枠（１０）は上枠部（１０ｕ）及び下枠部（１０ｄ）を備え、前記上枠部（１０ｕ）及び前記下枠部（１０ｄ）の各々に前記被係止部（１５，１６）が設けられ、
前記化粧プレート（２０）は、前記固定枠（１０）の正面側を覆い、前記配線器具（３）を外部に露出させるための窓部（２１ａ）が形成された板状のプレート本体部（２１）と、該プレート本体部（２１）の外周縁から延出された前記周壁（Ｗ）の一部であって前記上枠部（１０ｕ）の上側及び前記下枠部（１０ｄ）の下側をそれぞれ覆う上部周壁（２２）及び下部周壁（２３）とを備え、前記被係止部（１５，１６）に係止される前記係止部（２５，２６）が前記上部周壁（２２）及び前記下部周壁（２３）の各々に設けられ、
前記保持部は、前記化粧プレート（２０）の前記上部周壁（２２）から下側に延び、前記固定枠（１０）の前記上枠部（１０ｕ）に形成された開口（１７）に挿入される係止片（２７）を備えていることを特徴とする配線器具用プレート。
【００５９】
（付記５）
付記４に記載の配線器具用プレートにおいて、
前記各係止部（２５，２６）と前記各被係止部（１５，１６）との係止により前記化粧プレート（２０）が前記固定枠（１０）に固定された状態において、前記開口（１７）の上端部から該開口（１７）に挿入された前記係止片（２７）の先端部までの長さ（Ｄ１）が、前記上部周壁（２２）の前記係止部（２５，２６）と前記上枠部（１０ｕ）の前記被係止部（１５，１６）との上下方向（Ｚ）における係止幅（Ｄ２）よりも大きく設定されていることを特徴とする配線器具用プレート。
【００６０】
（付記６）
付記１に記載の配線器具用プレートにおいて、
前記固定枠（１０ａ）は上枠部（１０ｕ）及び下枠部（１０ｄ）を備え、前記上枠部（１０ｕ）及び前記下枠部（１０ｄ）の各々に前記被係止部（１５，１６）が設けられ、
前記化粧プレート（２０ａ）は、前記固定枠（１０ａ）の正面側を覆い、前記配線器具（３）を外部に露出させるための窓部（２１ａ）が形成された板状のプレート本体部（２１）と、該プレート本体部（２１）の外周縁から延出された前記周壁（Ｗ）の一部であって前記上枠部（１０ｕ）の上側及び前記下枠部（１０ｄ）の下側をそれぞれ覆う上部周壁（２２）及び下部周壁（２３）とを備え、前記被係止部（１５，１６）に係止される前記係止部（２５，２６）が前記上部周壁（２２）及び前記下部周壁（２３）の各々に設けられ、
前記保持部は、前記固定枠（１０ａ）の前記下枠部（１０ｄ）から前記化粧プレート（２０ａ）の前記下部周壁（２３）よりも下側位置まで下方に延出された第１延出部（３１ａ）と、該第１延出部（３１ａ）の下端から該第１延出部（３１ａ）の延出方向（Ｚ）と交差する方向（Ｘ）に延出されて前記下部周壁（２３）の下側に位置する第２延出部（３１ｂ）とを有する保持片（３１）を備えていることを特徴とする配線器具用プレート。
【００６１】
（付記７）
付記６に記載の配線器具用プレートにおいて、
前記化粧プレート（２０ａ）の前記下部周壁（２３）にはスリット（３２）が形成され、当該スリット（３２）に前記第１延出部（３１ａ）が挿通されていることを特徴とする配線器具用プレート。
【００６２】
（付記８）
付記６又は７に記載の配線器具用プレートにおいて、
前記各係止部（２５，２６）と前記各被係止部（１５，１６）との係止により前記化粧プレート（２０ａ）が前記固定枠（１０ａ）に固定された状態において、前記下部周壁（２３）の下面と前記第２延出部（３１ｂ）の上面との間の上下方向（Ｚ）のクリアランス（Ｃ１）の寸法（Ｄ３）が、前記下部周壁（２３）の前記係止部（２５，２６）と前記下枠部（１０ｄ）の前記被係止部（１５，１６）との上下方向（Ｚ）における係止幅（Ｄ４）よりも小さく設定されていることを特徴とする配線器具用プレート。
【００６３】
（付記９）
配線器具（３）と、該配線器具（３）を支持する取付け部材（２）と、該取付け部材（２）を覆う付記１〜８のいずれか１項に記載の配線器具用プレート（４）と、を備えたことを特徴とする配線装置。
【００６４】
（第１参考例）
以下、配線器具用プレート及び配線装置の第１参考例について、図６に従って説明する。なお、以下では、上記第１実施形態と同一の構成については同一の符号を付してその詳細な説明を省略し、相異する部分について詳細に説明する。
【００６５】
図６に示すように、本例の化粧プレート２０ｂでは、上部周壁２２から上記第１実施形態における係止片２７が省略され、それに合わせて本例の固定枠１０ｂでは、上側周壁部１２から上記第１実施形態における挿入凹部１７が省略されている。このため、固定枠１０ｂに対する化粧プレート２０ｂの上下方向Ｚの向きを逆さまにした状態でも、化粧プレート２０ｂを固定枠１０ｂに外嵌することが可能である。しかしながら、化粧プレート２０ｂを固定枠１０ｂに対して上下逆さまに外嵌した場合、枠側係止突起１５とプレート側係止突起２６（及び枠側係止突起１６とプレート側係止突起２５）との幅方向Ｘにおける形成位置の違いから、プレート側係止突起２５，２６を枠側係止突起１５，１６に係止させることができず、化粧プレート２０ｂが簡単に外れる状態となってしまう。従って、化粧プレート２０ｂが上下向きを誤って取り付けられることを防止するために、例えば、化粧プレート２０ｂの裏面等に該化粧プレート２０ｂの上下向きを判別可能な印字を施すことが好ましい。
【００６６】
しかしながら、化粧プレート２０ｂに上下向きを判別するための印字がされている場合であっても、固定枠１０ｂが取付け部材２に対して誤って上下逆さまに組み付けられていると、化粧プレート２０ｂが前記印字に基づいて上下向きが正しく取付けられているにも関わらず、プレート側係止突起２５，２６を枠側係止突起１５，１６に係止させることができず、この場合にも化粧プレート２０ｂが簡単に外れる状態となってしまう。
【００６７】
そこで、本例の固定枠１０ｂには、該固定枠１０ｂの上下方向Ｚの向きを判別するための印字部Ｍ（判別部）が設けられている。これにより、取付け作業者が印字部Ｍの表示によって固定枠１０ｂの上下向きを判別することができるため、固定枠１０ｂが取付け部材２に対して上下逆さまに固定されることを抑制できる。従って、固定枠１０ｂと化粧プレート２０ｂとが相対的に上下逆さまに組み付けられることが抑制され、その結果、化粧プレート２０ｂの固定枠１０ｂからの脱落を抑制できる。
【００６８】
なお、本例では、印字部Ｍが「ＵＰ」及び「上」の文字と、上側周壁部１２側を向く矢印から構成されている。また、印字部Ｍは、固定枠１０ｂの正面構成部１１における上側周壁部１２の近傍箇所に設けられている。なお、印字部Ｍの印字の内容は、本例に限定されるものではなく、固定枠１０ｂの上下方向Ｚの向きを判別可能なものであれば、例えば単に記号のみとしてもよい。また、印字部Ｍは、例えば、インクジェット印刷やシルク印刷による印字や、抜き孔による印字等で構成されることが好ましい。また、本例の印字部Ｍを上記各実施形態における固定枠１０，１０ａに設けることで、固定枠１０，１０ａが取付け部材２に対して誤って上下逆さまに組み付けられることを抑制できる。
【００６９】
また、本例の配線器具用プレート４（固定枠１０ｂ及び化粧プレート２０ｂ）の流通時（出荷時）等においては、固定枠１０ｂと化粧プレート２０ｂとを相対的に上下逆さまに組み付けることが好ましい。こうすることで、配線器具用プレート４の取付け作業時において、固定枠１０ｂと化粧プレート２０ｂの分離が容易となり、作業性の向上に寄与できる。
【００７０】
上記第１参考例から把握できる技術的思想を以下に追記する。
（イ）配線器具（３）を支持する取付け部材（２）に固定される固定枠（１０ｂ）と、
前記固定枠（１０ｂ）の被係止部（１５，１６）に係止される係止部（２５，２６）を有し前記被係止部（１５，１６）に対する前記係止部（２５，２６）の係止によって前記固定枠（１０ｂ）に固定された金属製の化粧プレート（２０ｂ）と
を備えた配線器具用プレートであって、
前記固定枠（１０ｂ）は、該固定枠（１０ｂ）の上下向きを判別するための判別部（Ｍ）を備えたことを特徴とする配線器具用プレート。
【００７１】
（第２参考例）
以下、配線器具用プレート及び配線装置の第２参考例について、図７及び図８に従って説明する。なお、以下では、上記第１実施形態と同一の構成については同一の符号を付してその詳細な説明を省略し、相異する部分について詳細に説明する。
【００７２】
図７（ａ）に示すように、本例の化粧プレート２０ｃでは、上部周壁２２から上記第１実施形態における係止片２７が省略され、それに合わせて本例の固定枠１０ｃでは、上側周壁部１２から上記第１実施形態における挿入凹部１７が省略されている。
【００７３】
更に、本例では、図７（ｂ）に示すように、各プレート側係止突起２５，２６の幅方向Ｘにおける長さ（幅方向長さ）が上記第１実施形態とは異なっている。具体的には、各プレート側係止突起２５，２６の幅方向長さが、固定枠１０ｃの上部及び下部の枠側係止突起１５，１６の両方に対応する長さ（つまり係止可能な長さ）に設定されている。より詳しくは、上部の各プレート側係止突起２５は、上記第１実施形態よりも幅方向Ｘ内側に延び、下部の各プレート側係止突起２６は、上記第１実施形態よりも幅方向Ｘ外側に延びている。なお、同図に示す例では、各プレート側係止突起２５と各プレート側係止突起２６とは、上下対称の関係となるように形成されている。
【００７４】
また、本例では、図７（ｃ）に示すように、突出片１８の厚み方向Ｙにおける形成位置が上記第１実施形態とは異なっている。具体的には、突出片１８は、化粧プレート２０ｃの凹部２８内に位置しておらず、化粧プレート２０ｃの周壁Ｗ（下部周壁２３）の先端面（背面側端面）よりも厚み方向Ｙ外側に位置している。
【００７５】
本例のように、上記第１実施形態から係止片２７を省略した化粧プレート２０ｃでは、上記のように、固定枠１０ｃに対する化粧プレート２０ｃの上下方向Ｚの向きを逆さまにした状態でも、化粧プレート２０ｃを固定枠１０ｃに外嵌することが可能である。そして、本例では、固定枠１０ｃと化粧プレート２０ｃとが相対的に上下逆さまに組み付けられた状態（固定枠１０ｃと化粧プレート２０ｃのいずれか一方の上下向きが誤って組み付けられた状態）であっても、枠側係止突起１５とプレート側係止突起２６とが、また、枠側係止突起１６とプレート側係止突起２５とが、それぞれ厚み方向Ｙに係止される。つまり、本例では、固定枠１０ｃに対する化粧プレート２０ｃの上下向きに関わらず、枠側係止突起１５，１６とプレート側係止突起２５，２６との係止によって化粧プレート２０ｃを固定枠１０ｃに固定することができる。その結果、化粧プレート２０ｃの固定枠１０ｃからの脱落を抑制できる。
【００７６】
なお、上記したように、本例の突出片１８は、化粧プレート２０ｃの周壁Ｗ（下部周壁２３）の先端面（背面側端面）よりも厚み方向Ｙ外側に位置している。このため、固定枠１０ｃと化粧プレート２０ｃとが相対的に上下逆さまに組み付けられた状態において、突出片１８が周壁Ｗ（上部周壁２２）と干渉しないように構成されている（図８参照）。
【００７７】
なお、本参考例における枠側係止突起１５，１６及びプレート側係止突起２５，２６の形成位置や形状等の構成は一例であって、固定枠１０ｃと化粧プレート２０ｃとが相対的に上下逆さまに組み付けられた状態でも枠側係止突起１５，１６とプレート側係止突起２５，２６とが互いに係止される構成であればよい。このため、例えば、プレート側係止突起２５，２６の関係と同様に、各枠側係止突起１５と各枠側係止突起１６とが上下対称の関係となるように構成してもよい。
【００７８】
上記第２参考例から把握できる技術的思想を以下に追記する。
（ロ）配線器具（３）を支持する取付け部材（２）に固定される固定枠（１０ｃ）と、
前記固定枠（１０ｃ）の被係止部（１５，１６）に係止される係止部（２５，２６）を有し前記被係止部（１５，１６）に対する前記係止部（２５，２６）の係止によって前記固定枠（１０ｃ）に固定された金属製の化粧プレート（２０ｃ）と
を備えた配線器具用プレートであって、
前記固定枠（１０ｃ）と前記化粧プレート（２０ｃ）との相対的な上下向きが正向きである状態を第１状態とし、該第１状態に対して前記固定枠（１０ｃ）と前記化粧プレート（２０ｃ）とが相対的に上下逆さまに組み付けられた状態を第２状態として、
前記化粧プレート（２０ｃ）の係止部（２５，２６）は、前記第１及び第２状態のいずれにおいても前記固定枠（１０ｃ）の被係止部（１５，１６）に係止可能に構成されたことを特徴とする配線器具用プレート。
【００７９】
（ハ）付記（ロ）に記載の配線器具用プレートにおいて、
前記固定枠（１０ｃ）は上枠部（１０ｕ）及び下枠部（１０ｄ）を備え、前記上枠部（１０ｕ）には前記被係止部としての第１被係止部（１５）が設けられ、前記下枠部（１０ｄ）には前記被係止部としての第２被係止部（１６）が設けられ、
前記化粧プレート（２０ｃ）は、前記固定枠（１０ｃ）の正面側を覆い、前記配線器具（３）を外部に露出させるための窓部（２１ａ）が形成された板状のプレート本体部（２１）と、該プレート本体部（２１）の外周縁から延出された前記周壁（Ｗ）の一部であって前記第１状態において前記上枠部（１０ｕ）の上側及び前記下枠部（１０ｄ）の下側をそれぞれ覆う上部周壁（２２）及び下部周壁（２３）とを備え、前記上部周壁（２２）には、前記第１状態において前記第１被係止部（１５）に係止される前記係止部としての前記第１係止部（２５）が設けられ、前記下部周壁（２３）には、前記第１状態において前記第２被係止部（１６）に係止される前記係止部としての前記第２係止部（２６）が設けられ、
前記第２状態において、前記化粧プレート（２０ｃ）の前記第１係止部（２５）は、前記固定枠（１０ｃ）の前記第２被係止部（１６）に係止され、前記化粧プレート（２０ｃ）の前記第２係止部（２６）は、前記固定枠（１０ｃ）の前記第１被係止部（１５）に係止されることを特徴とする配線器具用プレート。
【００８０】
（第３参考例）
以下、配線器具用プレート（化粧プレート）及び配線装置の第３参考例について、図９及び図１０に従って説明する。
【００８１】
図９（ａ），（ｂ）及び図１０に示すように、本例の化粧プレート２０ｄでは、窓部２１ａの周縁を覆うゴムやエラストマ等からなる絶縁部材４０が設けられている。絶縁部材４０は窓部２１ａの周縁に沿う枠体をなし、配線器具用プレート４を取付け部材２に取り付けた状態において、絶縁部材４０の枠内からコンセント３が露出されるようになっている。
【００８２】
図９（ａ）及び図１０に示すように、絶縁部材４０は、正面構成部２１に沿って延びるフランジ部４０ａを備え、該フランジ部４０ａは、正面構成部２１の表面と当接している。また、図９（ｂ）に示すように、絶縁部材４０には、複数（本例では６つ）の固定部４０ｂが形成され、各固定部４０ｂは、正面構成部２１の裏面と当接している。なお、各固定部４０ｂは熱かしめによって形成されている。図１０に示すように、絶縁部材４０は、フランジ部４０ａと各固定部４０ｂとで正面構成部２１を厚み方向Ｙに挟持しており、これにより、正面構成部２１の窓部２１ａに絶縁部材４０が固定されている。
【００８３】
化粧プレート２０ｄが固定枠１０から落下した場合、化粧プレート２０ｄの窓部２１ａの周縁が、コンセント３に端子が一部露出した状態で差し込まれている当該差込プラグの各端子と接触するおそれがある。そこで、本例では、窓部２１ａの周縁を絶縁部材４０にて覆っている。これにより、化粧プレート２０ｄが固定枠１０から脱落（落下）した際に、絶縁部材４０が前記差込プラグの端子と接触するため、金属製の化粧プレート２０ｄによって差込プラグの各端子間が短絡されることを抑制できる。
【００８４】
なお、絶縁部材４０の固定構造（固定部４０ｂの構成）は、図９に示す例に限定されるものではない。例えば、図１１に示すように、正面構成部２１の裏面と当接する第２のフランジ部４１を絶縁部材４０の全周に亘って設け、該フランジ部４１と正面側の前記フランジ部４０ａとで正面構成部２１を厚み方向Ｙに挟持する構成としてもよい。また、図１２に示すように、スナップフィットによる複数の係合部４２を設け、該係合部４２によって絶縁部材４０が正面構成部２１の窓部２１ａに固定される構成としてもよい。なお、図９〜図１２に示すような絶縁部材４０を、第１及び第２実施形態、及び第１及び第２参考例の各化粧プレート２０，２０ａ，２０ｂ，２０ｃに設けてもよい。
【００８５】
上記第３参考例から把握できる技術的思想を以下に追記する。
（ニ）配線器具（３）を支持する取付け部材（２）に固定される固定枠（１０）と、
前記固定枠（１０）の被係止部（１５，１６）に係止される係止部（２５，２６）を有し前記被係止部（１５，１６）に対する前記係止部（２５，２６）の係止によって前記固定枠（１０）に固定された金属製の化粧プレート（２０ｄ）と
を備え、
前記化粧プレート（２０ｄ）には、前記配線器具（３）を露出させるための窓部（２１ａ）が設けられた配線器具用プレートであって、
前記窓部（２１ａ）の周縁を覆う絶縁部材（４０）を備えたことを特徴とする配線器具用プレート。
【符号の説明】
【００８６】
２…取付け部材、３…コンセント（配線器具）、４…配線器具用プレート、１０…固定枠、１０ｕ…上枠部、１０ｄ…下枠部、１５，１６…枠側係止突起（被係止部）、１７…挿入凹部（開口）、１８…突出片、２０…化粧プレート、２１…正面構成部（プレート本体部）、２１ａ…窓部、２２…上部周壁、２３…下部周壁、Ｗ…周壁、２５，２６…プレート側係止突起（係止部）、２７…係止片（保持部）、１０ａ…固定枠、２０ａ…化粧プレート、３１…保持片（保持部）、３１ａ…下方延出部（第１延出部）、３１ｂ…幅方向延出部（第２延出部）、３２…スリット、Ｄ…配線装置。
【図１】
2017085864.tif 000003
【図２】
2017085864.tif 000004
【図３】
2017085864.tif 000005
【図４】
2017085864.tif 000006
【図５】
2017085864.tif 000007
【図６】
2017085864.tif 000008
【図７】
2017085864.tif 000009
【図８】
2017085864.tif 000010
【図９】
2017085864.tif 000011
【図１０】
2017085864.tif 000012
【図１１】
2017085864.tif 000013
【図１２】
2017085864.tif 000014